【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
第１のコンピューティングデバイスの符号器でオーディオ信号の第１のオーディオフレームを符号化することと、前記第１のオーディオフレームは、全予測フレームタイプ、雑音励起線形予測フレームタイプ、包括的フレームタイプ、または非予測タイプであるフレームタイプを有し、
前記第１のオーディオフレームを前記第１のコンピューティングデバイスから第２のコンピューティングデバイスに送信することと、
前記第１のオーディオフレームの前記フレームタイプに基づいて、第２のオーディオフレームに関連する主コーディング情報に割り振るための前記第２のオーディオフレームのビットの第１の個数と、前記第１のオーディオフレームに関連する冗長コーディング情報に割り振るための前記第２のオーディオフレームのビットの第２の個数とを決定することと、ここにおいて、前記第２のオーディオフレームは、前記オーディオ信号内で前記第１のオーディオフレームに続く、
前記第２のオーディオフレームを符号化することと、ここにおいて、前記第２のオーディオフレームは、主コーディング情報のビットの前記第１の個数と、冗長コーディング情報のビットの前記第２の個数と、前記第１のオーディオフレームの前記フレームタイプのインジケータとを含む、
前記第２のオーディオフレームを前記第１のコンピューティングデバイスから前記第２のコンピューティングデバイスに送信することと
を備える、フレームを符号化する方法。
【請求項２】
前記第１のオーディオフレームのフレームタイプの前記インジケータは、前記第２のオーディオフレームの最後の３ビットにふくまれる、請求項１に記載の方法。
【請求項３】
前記冗長コーディング情報は、前記第１のオーディオフレームの高帯域利得形状に関連する利得形状インジケータを含み、前記方法は、
ｉ）前記第１のオーディオフレームの高帯域部分と前記第２のオーディオフレームの高帯域部分との間の相関と、
ｉｉ）前記第１のオーディオフレームの前記高帯域利得形状に関連する第１のコードブックインデックスと前記第２のオーディオフレームの高帯域利得形状に関連する第２のコードブックインデックスとの間の距離と
のうちの１つまたは複数に基づいて前記利得形状インジケータの値をセットすることをさらに備える、請求項１または請求項２に記載の方法。
【請求項４】
前記冗長コーディング情報は、前記第１のオーディオフレームの高帯域利得フレームに関連する高帯域利得フレームインジケータを含む、任意の先行する請求項に記載の方法。
【請求項５】
ｉ）前記第１のオーディオフレームが無声フレームである時に、前記高帯域利得フレームインジケータをコードブックインデックスにセットすることと、
ｉｉ）前記第１のオーディオフレームが無声フレームではない時に、前記第１のオーディオフレームの前記高帯域利得フレームが、大きいコードブックインデックスに対応するコードブックの第１の部分内または小さいコードブックインデックスに対応する前記コードブックの第２の部分内のどちらのコードブックインデックスに対応するのかを示す値に前記高帯域利得フレームインジケータをセットすることと
のうちの少なくとも１つをさらに備える、請求項４に記載の方法。
【請求項６】
前記冗長コーディング情報は、前記第１のオーディオフレームの高帯域線スペクトル対（ＬＳＰ）に関連する高帯域ＬＳＰインジケータを含み、前記方法は、
前記第１のオーディオフレームと前記第２のオーディオフレームとの間のスペクトルひずみと、
前記第１のオーディオフレームの前記高帯域ＬＳＰに関連する第１のコードブックインデックスと前記第２のオーディオフレームの高帯域ＬＳＰに関連する第２のコードブックインデックスとの間の距離と
のうちの１つまたは複数に基づいて前記高帯域ＬＳＰインジケータの値をセットすることをさらに備える、任意の先行する請求項に記載の方法。
【請求項７】
前記冗長コーディング情報は、前記第１のオーディオフレームの高帯域線スペクトル対（ＬＳＰ）に関連する高帯域ＬＳＰインジケータを含み、前記方法は、
前記第１のオーディオフレームの前記高帯域ＬＳＰと前記第２のオーディオフレームの高帯域ＬＳＰとの間の差を決定することと、
前記差に基づいて前記高帯域ＬＳＰインジケータの値をセットすることと
をさらに備える、請求項１から５のうちのいずれかに記載の方法。
【請求項８】
オーディオ信号の第１のオーディオフレームを符号化し、前記第１のオーディオフレームは、全予測フレームタイプ、雑音励起線形予測フレームタイプ、包括的フレームタイプ、または非予測タイプであるフレームタイプを有し、
前記第１のオーディオフレームの前記フレームタイプに基づいて、第２のオーディオフレームに関連する主コーディング情報に割り振るための前記第２のオーディオフレームのビットの第１の個数と、前記第１のオーディオフレームに関連する冗長コーディング情報に割り振るための前記第２のオーディオフレームのビットの第２の個数とを決定し、ここにおいて、前記第２のオーディオフレームは、前記オーディオ信号内で前記第１のオーディオフレームに続く、
前記第２のオーディオフレームを符号化し、ここにおいて、前記第２のオーディオフレームは、主コーディング情報のビットの前記第１の個数と、冗長コーディング情報のビットの前記第２の個数と、前記第１のオーディオフレームの前記フレームタイプのインジケータとを含む、
ように構成された符号器と、
前記第１のオーディオフレームと前記第２のオーディオフレームとを宛先デバイスに送信するように構成された送信器と
を備える装置。
【請求項９】
前記符号器は、主符号化経路を備える、請求項８に記載の装置。
【請求項１０】
主コーディング情報のビットの前記第１の個数は、前記主符号化経路によって生成される、請求項９に記載の装置。
【請求項１１】
前記符号器は、前記主符号化経路と並列に動作する冗長符号化経路をさらに備える、ここにおいて、冗長コーディング情報のビットの前記第２の個数は、前記冗長符号化経路によって生成される、請求項９または請求項１０に記載の装置。
【請求項１２】
前記第１のオーディオフレームのフレームタイプの前記インジケータは、前記第２のオーディオフレームの最後の３ビットにふくまれる、請求項８〜１１のうちのいずれかに記載の装置。
【請求項１３】
前記冗長コーディング情報は、前記第１のオーディオフレームの高帯域利得形状に関連する利得形状インジケータを含み、前記装置は、
ｉ）前記第１のオーディオフレームの高帯域部分と前記第２のオーディオフレームの高帯域部分との間の相関と、
ｉｉ）前記第１のオーディオフレームの前記高帯域利得形状に関連する第１のコードブックインデックスと前記第２のオーディオフレームの高帯域利得形状に関連する第２のコードブックインデックスとの間の距離と
のうちの１つまたは複数に基づいて前記利得形状インジケータの値をセットするようにさらに構成された、請求項８〜１２のうちのいずれかに記載の装置。
【請求項１４】
前記冗長コーディング情報は、前記第１のオーディオフレームの高帯域利得フレームに関連する高帯域利得フレームインジケータを含む、請求項８〜１３のうちのいずれかに記載の装置。
【請求項１５】
命令を記憶するコンピュータ可読記憶媒体であって、前記命令がコンピュータによって実行された時に、前記コンピュータに、請求項１から７のうちのいずれかに記載の方法を実行させる、コンピュータ可読記憶媒体。